(57)【要約】【課題】設置スペースが限られた狭い空間であっても、安全かつ速やかに設置することができるダクト型空気調和機を提供する。【解決手段】筐体１０の互いに対向する一対の側面１１ａ，１１ｂの各々に突設された吊金具１００に、吊りボルト２０の軸線方向に沿って貫通し、かつ、側面１１，１２に対して平行とし、一端が開放された係止溝１３０の開放端１３１を同一方向を向くように配置する。【選択図】図１
2015206505.tif 000002
【特許請求の範囲】
【請求項１】
筐体の互いに対向する一対の側面の各々に突設された吊金具を有し、上記吊金具を介して、天井に固定された吊ボルトに係止されるダクト型空気調和機において、
上記吊金具は、上記吊りボルトの軸線方向に沿って貫通し、かつ、上記側面に沿って平行に延在し、一端が開放された係止溝を備え、上記吊金具は、上記係止溝の開放端が同一方向を向くように配置されていることを特徴とするダクト型空気調和機。
【請求項２】
上記吊金具は、上記側面に固定される固定プレート部と、上記固定プレート部の一端から直角に折り曲げられた吊下プレート部とを含み、上記吊下プレート部は、上記側面に対して直交する２つの端辺を備えた矩形状であって、上記係止溝は、上記２つの端辺のうち、一方の端辺から他方の端辺に向けて直線状に形成されていることを特徴とする請求項１に記載のダクト型空気調和機。
【請求項３】
上記吊下ボルトには、上記吊金具の下面に当接する係止ナットが螺合されており、上記一方の端辺には、下に向かって直角に折り曲げられた係止爪部を有することを特徴とする請求項２に記載のダクト型空気調和機。
【請求項４】
上記吊金具には、上記固定プレート部と上記吊下プレート部との境界辺から上記吊下プレート部に沿って平行、かつ、上記筐体に向けて突設され、上記筐体の天面の一部に当接する背当てプレート部が設けられていることを特徴とする請求項１ないし３のいずれか１項に記載のダクト型空気調和機。
【発明の詳細な説明】
【技術分野】
【０００１】
本発明は、天井から吊り下げられた吊ボルトに吊金具を介して吊り下げられるダクト型空気調和機に関し、さらに詳しく言えば、設置スペースが限られた狭い空間であっても安全かつ速やかに設置することができるダクト型空気調和機に関する。
【背景技術】
【０００２】
空気調和機（室内機ユニット）の１つとして、ダクト型空気調和機がある。ダクト型空気調和機は、内部に熱交換器や送風ファンを収納した空気調和ユニットと、空気吹出口（空気吸込口）を備えた吹出チャンバ装置（吸込チャンバ装置）とを分離し、それらを送風ダクトを介して連結している。ダクト型空気調和機は、天井スラブと天井パネルとの間に形成された空間に設置されるため、空気吹出口と天井パネルと調和の取れた美観が得られる。
【０００３】
図９および図１０に示すように、従来のダクト型空気調和機は、空気調和ユニットの筐体１の互いに対向する２つの側面２ａ，２ｂに、それぞれ２箇所ずつ計４つの吊金具３（３ａ〜３ｄ）を有し、吊金具３（３ａ〜３ｄ）を天井スラブから吊り下げられた４本の吊ボルト４（４ａ〜４ｄ）にそれぞれ係止することにより、天井から水平に吊り下げられる。
【０００４】
吊金具３は、筐体１の各側面２ａ，２ｂに対して突設された板材であって、その一部には吊ボルト４が挿通される係止溝５（５ａ〜５ｄ）が設けられている。係止溝５は、吊金具３の先端側（反側面２ａ，２ｂ側）から基端側（側面２ａ，２ｂ側）に向けて延在する直線溝であって、先端が反側面２ａ，２ｂ側を向いて開放されている（例えば特許文献１，２参照）。
【０００５】
これによれば、各係止溝５に沿って各吊ボルト４を挿通し、各吊ボルト４に螺合された各係止ナット６を各吊金具３の下面に沿って当接させることにより、吊金具３を介して筐体１が各吊ボルト４（４ａ〜４ｄ）に吊持する。
【０００６】
ところで、従来の吊金具３の係止溝５は、側面２ａ、２ｂに対して直交する方向に沿って延在している。そこで、筐体１を吊り下げるに当たっては、まず、筐体１を右方向に動かし、一方の側面２ａに設けられた２つの吊金具３ａ，３ｂにそれぞれ対応する吊ボルト４ａ，４ｂに引っ掛ける。
【０００７】
次に、そのまま筐体１を左側に動かして、他方の側面２ｂに設けられた吊金具３ｃ，３ｄにそれぞれ対応する吊ボルト４ｃ，４ｄを引っ掛ける。これにより、筐体１が各吊ボルト４ａ〜４ｄによって吊り下げられる。
【０００８】
しかしながら、図１１に示すように、天井スラブから突設された２本の平行な梁７ａ，７ｂの間に筐体１を設置する場合において、筐体１の各側面２ａ，２ｂと各梁７ａ，７ｂとの間隔Ｄａ，Ｄｂが狭く、筐体１を左右に動かす余裕がない状況では、上述した吊金具３ａ〜３ｄを用いた設置方法では、各吊ボルト４ａ〜４ｄに筐体１を吊り下げることができない。
【０００９】
筐体１を天井から吊り下げる別の方法としては、各吊ボルト４から各係止ナット６を取り外しておき、筐体１を被取付位置の真下から垂直に持ち上げて各係止溝５に各吊ボルト４の下端を差し込んだ後、各吊ボルト４に各係止ナット６を取り付けることで、吊り下げることも可能ではある。
【００１０】
しかしながら、この方法では、筐体１を持ち上げる人と、各係止ナット６を取り付ける人の少なくとも２人以上の作業者が必要である。
【先行技術文献】
【特許文献】
【００１１】
【特許文献１】特開平１０−２２０８６５号公報
【特許文献２】特開平１０−２８１５４９号公報
【発明の概要】
【発明が解決しようとする課題】
【００１２】
そこで、本発明の課題は、設置スペースが限られた狭い空間であっても、安全かつ速やかに設置することができるダクト型空気調和機を提供することにある。
【課題を解決するための手段】
【００１３】
上述した課題を解決するため、本発明は、筐体の互いに対向する一対の側面の各々に突設された吊金具を有し、上記吊金具を介して、天井に固定された吊ボルトに係止されるダクト型空気調和機において、上記吊金具は、上記吊りボルトの軸線方向に沿って貫通し、かつ、上記側面に沿って平行に延在し、一端が開放された係止溝を備え、上記吊金具は、上記係止溝の開放端が同一方向を向くように配置されていることを特徴としている。
【００１４】
本発明の好ましい態様によると、上記吊金具は、上記側面に固定される固定プレート部と、上記固定プレート部の一端から直角に折り曲げられた吊下プレート部とを含み、上記吊下プレート部は、上記側面に対して直交する２つの端辺を備えた矩形状であって、上記係止溝は、上記２つの端辺のうち、一方の端辺から他方の端辺に向けて直線状に形成されている。
【００１５】
また、上記吊下ボルトには、上記吊金具の下面に当接する係止ナットが螺合されており、上記一方の端辺には、下に向かって直角に折り曲げられた係止爪部を有する。
【００１６】
さらに、上記吊金具には、上記固定プレート部と上記吊下プレート部との境界辺から上記吊下プレート部に沿って平行、かつ、上記筐体に向けて突設され、上記筐体の天面の一部に当接する背当てプレート部が設けられている。
【発明の効果】
【００１７】
本発明によれば、筐体の互いに対向する側面に突設された吊金具の係止溝が、側面に沿って平行に延在し、かつ、その開放端を同一方向を向くように配置したことにより、簡単かつ速やかに各吊金具に各吊ボルトを係止することができる。
【図面の簡単な説明】
【００１８】
【図１】本発明の一実施形態に係るダクト型空気調和機を吊ボルトに吊り下げた状態を示す斜視図。
【図２】上記ダクト型空気調和機の吊金具を示す斜視図。
【図３】上記吊金具の（ａ）正面図、（ｂ）平面図、（ｃ）背面図、（ｄ）左側面図、（ｅ）右側面図および（ｆ）Ａ−Ａ線断面図
【図４】上記筐体の取付手順を説明する説明図。
【図５】上記吊金具に吊ボルトを取り付けた状態を示す部分断面図。
【図６】吊金具の変形例を示す斜視図。
【図７】吊金具の変形例の（ａ）正面図、（ｂ）平面図、（ｃ）背面図、（ｄ）左側面図、（ｅ）右側面図。
【図８】本発明の吊金具の別の実施態様を示す斜視図。
【図９】従来のダクト型空気調和機を吊ボルトに吊り下げた状態を示す斜視図。
【図１０】従来の吊金具に吊ボルトを取り付けた状態を示す部分断面図。
【図１１】従来のダクト型空気調和機を２本の梁の間に設置した状態を示す模式図。
【発明を実施するための形態】
【００１９】
次に、本発明の各実施形態について図１〜図８を参照しながら説明するが、本発明はこれに限定されない。
【００２０】
図１および図２に示すように、この空気調和機（室内機ユニット）は、立体形状の筐体１０を有し、図示しない天井スラブに固定された吊ボルト２０を介して天井に吊り下げられるダクト型空気調和機である。以下の説明において、図４を正面として見た場合に、筐体１０の正面が、天井スラブと対向する天面１２であり、互いに対向する側面１１のうち、左側面を１１ａ、右側面を１１ｂとして区別する。
【００２１】
筐体１０は、内部に熱交換器や送風ファンなどの空気調和機として必要な機構を備えているが、本発明において、筐体１０内に設けられている内部機構は特に限定されないため、その説明は省略する。
【００２２】
吊ボルト２０は、上端が図示しない天井スラブに固定され、天井から下方にほぼ垂直に伸びるボルトである。吊ボルト２０の外周面には、係止ナット３０を螺合するための雄ネジが形成されている。
【００２３】
係止ナット３０は、中心に設けられた孔に吊ボルト２０に螺合される雌ネジを備えた六角ナットであって、この例では一端側にフランジ部３１が一体的に設けられている。係止ナット３０は、その外径が、後述する吊金具１００の係止溝１３０の溝幅よりも大径であれば、その他の形状は仕様に応じて任意に選択されてよい。
【００２４】
筐体１０の互いに対向する側面１１（左側面１１ａ，右側面１１ｂ）には、それぞれ筐体１０を吊ボルト２０に吊り下げるための吊金具１００（１００ａ〜１００ｄ）が２箇所ずつ、計４箇所に取り付けられている。
【００２５】
筐体１０の左側面１１ａには、その両端側（図４では上下方向）に吊金具１００ａと吊金具１００ｂが配置されている。筐体１０の右側面１１ｂには、その両端側（図４では上下方向）に吊金具１００ｃと吊金具１００ｄが配置されている。
【００２６】
本発明の吊金具１００（１００ａ〜１００ｄ）は、左側面１１ａ用の吊金具１００ａ，１００ｂと、右側面１１ｂ用の吊金具１００ｃ，１００ｄの２種類がそれぞれ用意されるが、その形状は、筐体１０を挟んで左右対称であるため、特に区別をする必要が無い場合、単に吊金具１００とし、全てを共通の参照符号を用いて説明する。
【００２７】
また、側面１１（１１ａ，１１ｂ）についても、特に区別をする必要が無い場合は、単に側面１１という。
【００２８】
図２および図３に示すように、吊金具１００は、１枚の矩形状の金属製プレートからなり、筐体１０の側面１１に対して固定される固定プレート部１１０と、固定プレート部１１０の一端からほぼ直角に折り曲げられた吊下プレート部１２０とを備えている。
【００２９】
固定プレート部１１０は、筐体１０の側面１１に当接するように形成されており、側面１１にネジ止めするためのネジ挿通孔１１１が２箇所設けられている。ネジ挿通孔１１１の形状および数は、仕様に応じて任意に選択されてよい。
【００３０】
吊下プレート部１２０は、側面１１に対して直交する２つの端辺１２１，１２２を備えた矩形状であって、一方の端辺１２１（図３（ａ）では右辺、以下、第１端辺１２１という）から他方の端辺１２２（図３（ａ）では左辺、以下、第２端辺１２２という）に向かって係止溝１３０が設けられている。
【００３１】
係止溝１３０は、吊下プレート部１２０の厚さ方向（吊ボルト２０の軸線方向）に貫通し、かつ、第１端辺１２１側が開放端１３１として開放された直線溝であって、この実施形態において、端辺１２１から吊下プレート部１２０のほぼ中央に至る直線状に形成されている。
【００３２】
係止溝１３０は、その溝幅が、少なくとも吊下ボルト２０の直径よりも大径であり、かつ、係止ナット３０の外径よりも小さくなるように形成されている。
【００３３】
吊下プレート部１２０の第１端辺１２１には、係止ナット３０が吊下プレート部１２０に沿ってスライドして、係止溝１３０の先端から抜け落ちないようにするための係止爪部１４０が設けられている。係止爪部１４０は、第１端辺１２１の先端から下方（図３（ｃ）では下側）に向けてほぼ直角に折り曲げられた舌片である。この実施形態において、係止爪部１４０は、係止溝１３０を挟んで両側に設けられている。
【００３４】
吊下プレート部１２０の第２端辺１２２には、吊下プレート部１３０の座屈強度を高めるための補強片１５０が設けられている。さらに、吊下プレート部１３０の固定プレート部１１０に対向する端辺１２３（図３（ａ）では上辺）にも補強片１６０が設けられている。これら補強片１５０，１６０は、吊下プレート部１２０の端部を下方（図３（ｃ）では下側）に向けてほぼ直角に折り曲げた舌片である。
【００３５】
図４を参照して、４つの吊金具１００ａ〜１００ｄのうち、吊金具１００ａ，１００ｂは、筐体１０の左側面１１ａに取り付けられ、吊金具１００ｃ，１００ｄは、右側面１１ｂに取り付けられるが、吊金具１００ａ〜１００ｄは、係止溝１３０が側面１１ａ，１１ｂに対して平行であり、かつ、開放端１３１が同一方向を向くように取り付けられればよい。
【００３６】
図５を併せて参照して、筐体１０を４本の吊ボルト２０に引っ掛けるに当たっては、まず、筐体１０を両手で持ち上げ、各係止溝１３０の開放端１３１の前に吊ボルト２０が来るように位置合わせする。
【００３７】
次に、筐体１０を吊金具１００の係止爪部１４０が係止ナット３０に引っ掛からない高さまで持ち上げつつ、筐体１０を一方向（図４では上方向）に動かして、係止溝１３０内に吊ボルト２０を案内する。
【００３８】
係止ナット３０が、係止爪部１４０を避けて係止溝１３０内に案内されたことを確認したのち、筐体１０を下げる。これにより、吊金具１００の吊下プレート部１２０の下面１２４に係止ナット３０のフランジ部３１が当接して、吊金具１００を介して筐体１０が吊ボルト２０に係止される。
【００３９】
これによれば、梁７ａ，７ｂの間に設けられた狭い空間においても、筐体１０を持ち上げて、梁７ａ，７ｂに沿って一方向に移動させるだけで、簡単かつ速やかに吊ボルト２０に全ての吊金具１００（１００ａ〜１００ｄ）を同時に係止することができ、その結果、筐体１０を簡単に取り付けることができる。
【００４０】
次に、図６および図７を参照して、吊金具の変形例について説明するが、上述した吊金具１００と同一もしくは同一と見なされる箇所には同じ参照符号を付し、その説明を省略する。
【００４１】
この吊金具１００Ａには、吊下時に固定プレート部１１０と吊下プレート部１２０と境界辺１８０付近に係る負荷の一部を筐体１０に分散させるための背当てプレート部１７０が設けられている。背当てプレート部１７０は、固定プレート部１１０と吊下プレート部１２０との境界辺１８０から吊下プレート部１２０と平行に、筐体１０側に向けて突設された舌片である。この実施形態において、背当てプレート部１７０は、固定プレート１１０を挟んで両側に設けられている。
【００４２】
この実施形態において、筐体１０の天面１２側の一部には、凹部１３が設けられている。凹部１３は、背当てプレート部１７０の板厚と等しい深さに凹まされており、背当てプレート部１７０を取り付けた際、筐体１０の天面と背当てプレート部１７０の板面とが同一平面となるようになっている。
【００４３】
これによれば、筐体１０を吊ボルト２０に吊り下げた際、吊金具１００Ａの吊下プレート部１２０には筐体１０の全荷重が加わり、その荷重が固定プレート部１１０と吊下プレート部１２０との境界辺１８０に加わるが、荷重の一部が、背当てプレート部１７０を介して筐体１０側に受け止められることにより、吊金具１００Ａの変形を防止できる。
【００４４】
上述した実施形態において、吊金具１００，１００Ａは、筐体１０の側面１１に対して２箇所ずつ、計４箇所設けられているが、図８に示すように、筐体１０Ａが細長い直方体であるような場合（例えば吹出チャンバ装置や吸込チャンバ装置に適用する場合）においては、各側面１１にそれぞれ１つずつ、計２箇所設けられていればよい。すなわち、本発明の吊金具１００，１００Ａの最小取付単位は、筐体１０の対向する２つの側面１１（１１ａ，１１ｂ）にそれぞれ１箇所ずつ設けられていればよい。
【００４５】
以上説明したように、本発明によれば、筐体の互いに対向する側面に突設された吊金具の係止溝を、側面に対して平行にするように、かつ、その開放端を同一方向を向くように配置したことにより、筐体を係止溝に沿って一方向にのみ動かすことで簡単かつ速やかに各吊金具に各吊ボルトを係止することができる。
【符号の説明】
【００４６】
１０，１０Ａ  筐体
１１  側面
１１ａ  左側面
１１ｂ  右側面
１２  天面
１３  凹部
２０  吊ボルト
３０  係止ナット
１００（１００ａ〜１００ｄ）  吊金具
１１０  固定プレート部
１２０  吊下プレート部
１３０  係止溝
１４０  爪部
１５０，１６０  補強片
１７０  背当てプレート部
【図１】
2015206505.tif 000003
【図２】
2015206505.tif 000004
【図３】
2015206505.tif 000005
【図４】
2015206505.tif 000006
【図５】
2015206505.tif 000007
【図６】
2015206505.tif 000008
【図７】
2015206505.tif 000009
【図８】
2015206505.tif 000010
【図９】
2015206505.tif 000011
【図１０】
2015206505.tif 000012
【図１１】
2015206505.tif 000013